(57)【要約】【課題】棚上に陳列される商品を効果的に照明することができるショーケースを提供する。【解決手段】本発明のショーケース１は、陳列室１１内に架設した棚３０上に商品を陳列するものであって、棚３０の前端部、例えば、プライスレール３４やガード３５に設けられて、ＬＥＤ素子５３を有するＬＥＤ照明装置５０を備え、このＬＥＤ照明装置５０により、棚３０上の商品を下部前方からスポットライト的に照明することで、陳列効果の向上を図る。【選択図】図５
2010078250.tif 000002
【特許請求の範囲】
【請求項１】
陳列室内に架設した棚上に商品を陳列するショーケースにおいて、
前記棚の前端部に設けられ、ＬＥＤ素子を有するＬＥＤ照明装置を備え、該ＬＥＤ照明装置により、前記棚上の商品を照明することを特徴とするショーケース。
【請求項２】
前記棚は、前記商品が載置される棚板と、該棚板の前端部に取り付けられたプライスレールと、該プライスレールと前記棚板間に立設された商品落下防止用のガードとを備え、
前記ＬＥＤ照明装置を、前記プライスレール、又は、ガードに取り付け、当該プライスレール、又は、ガードに配設した電極より前記ＬＥＤ照明装置に給電することを特徴とする請求項１に記載のショーケース。
【発明の詳細な説明】
【技術分野】
【０００１】
本発明は、前面が開口する陳列室内に架設した棚上に商品を陳列するショーケースに関するものであって、特に、当該棚上の照明に関するものである。
【背景技術】
【０００２】
従来より、この種のショーケースは、例えば特許文献１に示すように、前面に開口する陳列室内に商品陳列用の複数段の棚装置が架設されており、各棚装置の下面前部及び陳列室の開口上部には、陳列室内を照明するための蛍光灯などの照明装置がそれぞれ取り付けられている。
【０００３】
また、各蛍光灯の上側には例えば白色に塗装された鋼板製の反射板が取り付けられている。この反射板は複数箇所を屈曲されることにより、蛍光灯の上方を略囲繞するように設けられ、蛍光灯から発せられた光のうち上方に向かう光を下方に向けて反射させる。これにより、下方の各棚上の商品をより明るく照明していた。
【０００４】
また、これ以外にも、照明装置としてＬＥＤ素子を複数備えたＬＥＤ照明装置を棚板の下面前部に取り付け、これにより、当該照明装置が設けられる下側の棚装置上を照明するショーケースが開発されている。
【特許文献１】特開２００２−３９６７２号公報
【発明の開示】
【発明が解決しようとする課題】
【０００５】
しかしながら、従来の棚に設けられる照明装置では、当該棚に設けられる反射板を用いても、当該照明装置が設けられる棚の下方に設けられる棚上や底板上にしか照射光を向けることができない。
【０００６】
そのため、棚上に陳列される商品は、上前方からのみ照明することとなる。しかし、ショーケース内に架設される棚装置がそれぞれ所定角度にて前下がりに傾斜して架設される場合には、上側に架設される棚前部下面に設けられる照明装置では、その下側に架設される棚上前部に陳列される商品のフェース面を効果的に照明することができないという問題がある。
【０００７】
また、棚上に陳列される商品によっては、ＰＯＰ等の商品促進表示部材を棚に設けて他の商品より目立たせて陳列することにより促進販売が行われる場合がある。
【０００８】
しかしながら、従来のショーケースでは、キャノピーの内側に設けられる照明装置や、各棚の前部下面に設けられる照明装置によって、棚上を一様に照明するものであった。
【０００９】
本発明は、従来の技術的課題を解決するためになされたものであり、棚上に陳列される商品を効果的に照明することができるショーケースを提供する。
【課題を解決するための手段】
【００１０】
本発明のショーケースは、陳列室内に架設した棚上に商品を陳列するものであって、棚の前端部に設けられ、ＬＥＤ素子を有するＬＥＤ照明装置を備え、該ＬＥＤ照明装置により、棚上の商品を照明することを特徴とする。
【００１１】
請求項２の発明のショーケースは、上記発明において、棚は、商品が載置される棚板と、該棚板の前端部に取り付けられたプライスレールと、該プライスレールと棚板間に立設された商品落下防止用のガードとを備え、ＬＥＤ照明装置を、プライスレール、又は、ガードに取り付け、当該プライスレール、又は、ガードに配設した電極よりＬＥＤ照明装置に給電することを特徴とする。
【発明の効果】
【００１２】
本発明によれば、陳列室内に架設した棚上に商品を陳列するショーケースにおいて、棚の前端部に設けられ、ＬＥＤ素子を有するＬＥＤ照明装置を備え、該ＬＥＤ照明装置により、棚上の商品を照明するので、棚の前端部に設けられたＬＥＤ照明装置によって、棚上の前部に載置される商品のフェース面を効果的に照明することが可能となる。
【００１３】
特に、棚前端部に設けられるＬＥＤ照明装置によって、棚上前部に載置された商品を前下方からスポットライト的に照明することが可能となるため、陳列効果の向上を図ることが可能となる。
【００１４】
請求項２の発明によれば、上記発明において、棚は、商品が載置される棚板と、該棚板の前端部に取り付けられたプライスレールと、該プライスレールと棚板間に立設された商品落下防止用のガードとを備え、ＬＥＤ照明装置を、プライスレール、又は、ガードに取り付け、当該プライスレール、又は、ガードに配設した電極よりＬＥＤ照明装置に給電するので、棚の前端部に容易にＬＥＤ照明装置を取り付けることができる。
【００１５】
また、プライスレール又はガードには、電極が配設されているため、ＬＥＤ照明装置を取り付けた際に、当該ＬＥＤ照明装置に支障なく給電を行うことが可能となり、格別な配線接続をする必要が無くなり、円滑にＬＥＤ照明装置を取り付けることができるようになる。
【発明を実施するための最良の形態】
【００１６】
次に、図面を参照して本発明の実施形態について詳述する。図１は本発明を適用したショーケース１の斜視図、図２は図１のショーケース１の縦断側面図をそれぞれ示している。ショーケース１は、例えばスーパーマーケットなどの店舗内に据え付けられる縦型のオープンショーケースであり、前面に開口する断面略コ字状の断熱壁２と、据え付け現場において断熱壁２の側面に取り付けられた断熱性の側板５、５とから構成されている。
【００１７】
ショーケース１の断熱壁２の内側にはそれぞれ間隔を存して仕切板４及び図示しないもう一枚の仕切板が取り付けられ、これら仕切板４などと断熱壁２間に図示しない内外二層のダクトが形成されている。内側の仕切板を構成する背部仕切板の下端前方には、底板９が断熱壁２の底壁２Ａとの間にダクト用の間隔を存して取り付けられており、これら仕切板４及び底板９の内側を陳列室１１としている。
【００１８】
また、この陳列室１１内には、高さ及び取付角度が変更可能であると共に、陳列室１１内背部の図示しない支柱に取り付けられる一対のブラケット３１及びこれらと共に棚３０を構成する棚板３２が複数段に渡って架設されている。棚板３２の前縁には、硬質合成樹脂により成形されるプライスレール３４が取り付けられており、当該プライスレール３４は、棚板３２の装飾体を兼用している。また、この棚板３２の前壁とプライスレール３４との間には、所定の間隔が形成されており、当該間隔には棚板３２上の商品が落下することを防止するためのガード３５が取り付けられる。
【００１９】
断熱壁２の前面開口１２の上縁にはハニカム材１３、１４がそれぞれ取り付けられた内層吐出口１６及び外層吐出口１７が並設されており、これら内層吐出口１６及び外層吐出口１７は、前記内層ダクト及び外層ダクトにそれぞれ連通している。また、開口１２の下縁には、内層吸込口１８と外層吸込口１９が並設されている。
【００２０】
一方、底板９下方後部には断熱壁２の底壁２Ａ上に前記内層ダクト及び外層ダクトのそれぞれに対応する図示しない送風機が複数台設置されている。
【００２１】
背部仕切板（仕切板４）後方の内層ダクト内には冷却装置の図示しない冷却器が縦設されており、前記内層ダクトに対応した送風機が運転されると冷却器と熱交換した冷気は内層ダクト内を上昇せられ、内層吐出口１６より内層吸込口１８に向かって吐出される。そして、内層吸込口１８から吸い込まれた冷気は再び前記送風機によって加速される。
【００２２】
他方、前記外層ダクトに対応した送風機が運転されると外層ダクト内の空気は外層ダクト内を上昇せられ、外層吐出口１７より外層吸込口１９に向かった吐出される。そして、外層吸込口１９から吸い込まれた空気は再び前記送風機によって加速される。これによって、開口１２には前後二重のエアーカーテンが形成され、内側の冷気エアーカーテンの一部が陳列室１１内に循環されて陳列室１１は冷却される。
【００２３】
一方、断熱壁２の下側前壁２Ｃの上面には、ショーケース１の開口１２下縁の全幅に渡って設けられるハンドレール２０が取り付けられる。この前壁２Ｃの前面には、ハンドレール２０と連続するように前面下パネル２１が取り付けられ、該前面下パネル２１の下方には前面下パネル２１と略面一となるようにバンパー２２が取り付けられる。
【００２４】
次に、断熱壁２の天壁２Ｂ前部の構成について説明する。尚、図３は開口上ＬＥＤ照明装置４０の概略構成図である。断熱壁２の天壁２Ｂ前端（上部前端）には、前方に張り出したキャノピー３３が取り付けられており、このキャノピー３３の内側には、陳列室１１の前面開口１２より外側に延在した状態で反射板４５が取り付けられる。尚、キャノピー３３の前面には図１に示されるように温度表示部３８が設けられている。
【００２５】
この反射板４５は、化粧塗装が施された金属板にて構成されており、前部には、長手方向に渡って延在する開口上ＬＥＤ照明装置４０が両端に設けられる照明取付部材４１によって固定されている。この開口上ＬＥＤ照明装置４０は、図３に示すように複数のＬＥＤ照明部材４６が左右に渡って並設されることにより構成されている。
【００２６】
このＬＥＤ照明部材４６は、複数のＬＥＤ素子４３が配設された基板４２により構成されており、当該基板４２は前面開口１２の長手方向に渡って（本実施例では左右方向に渡って）構成される熱良導性の取付板４４に固定されている。それぞれの基板４２は長手方向に延在して構成されており、当該基板４２には、所定間隔を存して複数のＬＥＤ素子４３が取り付けられている。本実施例において、ＬＥＤ素子４３は、チップタイプの白色のＬＥＤ素子である。
【００２７】
本実施例において、当該ＬＥＤ照明部材４６は、約１尺程度の長さに構成されている。本実施例におけるオープンショーケースは、前面開口（間口）寸法が４尺〜１２尺程度であるため、キャノピー３３の内側に設けられる反射板４５には、当該前面開口寸法に合わせて当該ＬＥＤ照明部材４６が４個〜１２個（複数個）左右渡って並設される。
【００２８】
そして、各ＬＥＤ照明部材４６は、下側から囲繞するかたちで取り付けられる透光性のシェード４７によってカバーされる。
【００２９】
また、本実施例では、当該開口上ＬＥＤ照明装置４０と略同一の構成とされる上部ＬＥＤ照明装置４８が、仕切板４の天壁部であって、内層吐出口１６の後方、且つ、陳列室１１前部上方に位置して設けられている。
【００３０】
係る構成により、各開口上ＬＥＤ照明装置４０及び各上部ＬＥＤ照明装置４８が点灯されると、各シェード４７において拡散された後のそれぞれのＬＥＤ素子４３の照射光により、陳列室１１の外側に位置する上前方から及び、陳列室１１内に位置する上前部から効果的に陳列室１１内全体を照明することが可能となる。
【実施例１】
【００３１】
次に、図４乃至図６を参照して、各棚３０前端部に設けられる棚ＬＥＤ照明装置５０について説明する。図４は棚ＬＥＤ照明装置５０の概略構成図、図５は棚ＬＥＤ照明装置５０の概略側面図、図６は図５の配線状態を示す図である。
【００３２】
本実施例における棚ＬＥＤ照明装置５０は、棚３０の前端部に取り付けられるプライスレール３４の上端部に棚３０の長手方向に延在して着脱自在に取り付けられる照明装置である。本実施例では、オープンショーケースの前面開口（間口）寸法が４尺〜１２尺程度であるのに対し、当該棚ＬＥＤ照明装置５０は、約１尺程度の長さに構成されている。
【００３３】
図４に示すようにＬＥＤ素子５３が配設された基板５２と、当該基板５２が取り付けられる本体５４により構成されている。基板５２は長手方向に延在して構成されており、当該基板５２には、所定間隔を存して複数のＬＥＤ素子５３が取り付けられている。本実施例において、ＬＥＤ素子５３は、上記ＬＥＤ素子４３と同様にチップタイプの白色のＬＥＤ素子である。また、棚ＬＥＤ照明装置５０は、各ＬＥＤ素子５３の光照射側の面を囲繞するかたちで透光性のシェード５７によってカバーされる。
【００３４】
そして、この棚ＬＥＤ照明装置５０を構成する本体５４は、下方に延在して脚部５８が構成されており、当該脚部５８内には、図６に示すように各ＬＥＤ素子５３に給電を行うための端子５９が配設されている。
【００３５】
一方、棚３０のプライスレール３４の上端部には、棚ＬＥＤ照明装置５０の脚部５８を挿入取付するための取付部が長手方向に渡って構成されていると共に、この内部には、棚ＬＥＤ照明装置５０に給電を行うための電極５１が同様に長手方向に渡って配設されている。当該電極５１には、配線５５が接続されており、当該配線５５は、プライスレール３４の下部後端より後方に引き出されており、図６に示すように棚３０を構成する棚板３２の内部下面に沿ってショーケース１の本体にまで引き出されている。
【００３６】
係る構成により、棚ＬＥＤ照明装置５０のＬＥＤ素子５３の光の照射方向が当該棚３０の前端上部とされるように、本体５４の脚部５８を棚３０のプライスレール３４の長手方向の何れかの場所の取付部に取り付ける。これにより、棚３０の前端部に位置するプライスレール３４上方から棚３０上前部に載置される商品Ｓに向けて各ＬＥＤ素子５３からの照射光を照射することができる。従って、棚３０上の前部に載置される商品Ｓのフェース面を効果的に照明することが可能となる。
【００３７】
特に、棚３０前端部に設けられる棚ＬＥＤ照明装置５０によって、棚３０上前部に載置された商品Ｓを前下方からスポットライト的に照明することが可能となるため、陳列効果の向上を図ることが可能となる。また、棚ＬＥＤ照明装置５０は角度が調整可能となっており、棚３０上前部に載置された商品Ｓの高さに応じて照明することができる。
【００３８】
また、棚ＬＥＤ照明装置５０が取り付けられる棚３０の前端部のプライスレール３４には、当該棚ＬＥＤ照明装置５０に給電するための電極５１が棚３０長手方向に渡って設けられているため、当該棚ＬＥＤ照明装置５０をプライスレール３４の任意の場所に取り付けることにより、支障なく棚ＬＥＤ照明装置５０に給電を行うことが可能となる。
【００３９】
そのため、格別な配線接続をする必要が無く、棚３０の幅方向に渡って移動自在に棚ＬＥＤ照明装置５０を取り付けて、スポットライトとして当該棚３０上に陳列される商品Ｓを照明することが可能となる。
【実施例２】
【００４０】
次に、実施例２としての棚ＬＥＤ照明装置６０について図７及び図８を参照して説明する。図７は棚ＬＥＤ照明装置６０の概略側面図、図８は図７の配線状態を示す図である。係る実施例における棚ＬＥＤ照明装置６０は、棚３０の前端部に取り付けられるプライスレール３４の前面に構成される前壁部６１に着脱自在に取り付けられる。
【００４１】
この前壁部６１は、凹状に湾曲しており、その上縁前面及び下縁に沿って棚板３２に載置された商品Ｓの品名や価格等を記載した紙又は樹脂シートからなる図示しない表示カードを傾脱自在に保持する係止片が形成されている。
【００４２】
係る実施例における棚ＬＥＤ照明装置６０は、上記実施例と同様に、オープンショーケースの前面開口（間口）寸法が４尺〜１２尺程度であるのに対し、当該棚ＬＥＤ照明装置６０は、約１尺程度の長さに構成されている。尚、棚ＬＥＤ照明装置６０は、上記実施例における棚ＬＥＤ照明装置５０の本体５４と略同一の構成であるため説明を省略する。
【００４３】
棚ＬＥＤ照明装置６０を構成する本体の後端には、後方に延在する脚部６２、６２が構成されており、当該脚部６２は、上記プライスレール３４の凹状に湾曲された前壁部６１内に着脱自在に係止されるようそれぞれ上方及び下方に延出する保持部６２Ａが形成されている。そして、この保持部６２Ａのプライスレール３４側の面には、図８に示すように各ＬＥＤ素子５３に給電を行うための図示しない端子が配設されている。
【００４４】
一方、棚ＬＥＤ照明装置６０の保持部６２Ａと接触するプライスレール３４の前壁部６１の係止溝６１Ａ、６１Ａには、接触により棚ＬＥＤ照明装置６０に給電を行うための電極６３がプライスレール３４の長手方向に渡って配設されている。当該電極６３には、配線６４が接続されており、当該配線６４は、プライスレール３４の下部後端より後方に引き出されており、図８に示すように棚３０を構成する棚板３２の内部下面に沿ってショーケース１の本体にまで引き出されている。
【００４５】
係る構成により、棚ＬＥＤ照明装置６０のＬＥＤ素子５３の光の照射方向が当該棚３０の前端上部とされるように、本体の脚部６２を棚３０のプライスレール３４の長手方向の何れかの場所の前壁部６１の係止溝６１Ａ、６１Ａ間に取り付ける。これにより、棚３０の前端部に位置するプライスレール３４前方から後上方に向けて棚３０上前部に載置される商品Ｓに各ＬＥＤ素子５３からの照射光を照射することができる。従って、棚３０上の前部に載置される商品Ｓのフェース面を効果的に照明することが可能となる。また、棚ＬＥＤ照明装置６０は角度が調整可能となっており、棚３０上前部に載置された商品Ｓの高さに応じて照明することができる。
【００４６】
特に、棚３０前端部に設けられる棚ＬＥＤ照明装置６０によって、棚３０上前部に載置された商品Ｓを前下方からスポットライト的に照明することが可能となるため、陳列効果の向上を図ることが可能となる。
【００４７】
また、棚ＬＥＤ照明装置６０が取り付けられる棚３０の前端部のプライスレール３４には、当該棚ＬＥＤ照明装置６０に給電するための電極６３が棚３０長手方向に渡って設けられているため、当該棚ＬＥＤ照明装置６０をプライスレール３４の任意の場所に取り付けることにより、支障なく棚ＬＥＤ照明装置６０に給電を行うことが可能となる。
【００４８】
そのため、格別な配線接続をする必要が無く、棚３０の幅方向に渡って移動自在に棚ＬＥＤ照明装置６０を取り付けて、スポットライトとして当該棚３０上に陳列される商品Ｓを照明することが可能となる。
【実施例３】
【００４９】
次に、実施例３としての棚ＬＥＤ照明装置６５について図９及び図１０を参照して説明する。図９は棚ＬＥＤ照明装置６５の概略側面図、図１０は図９の配線状態を示す図である。係る実施例における棚ＬＥＤ照明装置６５は、棚３０の前端部に取り付けられるガード３５の上端部に長手方向に延在して着脱自在に取り付けられる。
【００５０】
係る実施例における棚ＬＥＤ照明装置６５は、上記実施例と同様に、オープンショーケースの前面開口（間口）寸法が４尺〜１２尺程度であるのに対し、当該棚ＬＥＤ照明装置６５は、約１尺程度の長さに構成されている。尚、棚ＬＥＤ照明装置６５は、上記実施例１における棚ＬＥＤ照明装置５０の本体５４と略同一の構成であるため説明を省略する。
【００５１】
棚ＬＥＤ照明装置６５を構成する本体の後端には、後方に突出してガード３５の上端の取付部６６に前方から係止させて取り付けるための取付部６７が形成されている。本実施例において取付部６７は、下方に開口する略Ｕ字状を呈している。この取付部６７の端部には、図１０に示すように各ＬＥＤ素子５３に給電を行うための端子６８が配設されている。
【００５２】
一方、棚３０のガード３５の上端部には、上方に開口して棚ＬＥＤ照明装置６５の取付部６６を挿入取付するための取付部が長手方向に渡って構成されていると共に、この内部には、棚ＬＥＤ照明装置６５に給電を行うための電極６９が長手方向に渡って配設されている。当該電極６９には、配線７０が接続されており、当該配線７０は、ガード３５内部を通って下端部より後方に引き出されており、図１０に示すように棚３０を構成する棚板３２の内部下面に沿ってショーケース１の本体にまで引き出されている。
【００５３】
係る構成により、棚ＬＥＤ照明装置６５のＬＥＤ素子５３の光の照射方向が当該棚３０の前端上部とされるように、本体の取付部６５を棚３０のガード３５の長手方向の何れかの場所の取付部６８に取り付ける。これにより、棚３０の前端部に位置するガード３５前方から後上方に向けて棚３０上前部に載置される商品Ｓに各ＬＥＤ素子５３からの照射光を照射することができる。従って、棚３０上の前部に載置される商品Ｓのフェース面を効果的に照明することが可能となる。また、棚ＬＥＤ照明装置６５は角度が調整可能となっており、棚３０上前部に載置された商品Ｓの高さに応じて照明することができる。
【００５４】
特に、棚３０前端部に設けられる棚ＬＥＤ照明装置６５によって、棚３０上前部に載置された商品Ｓを前下方からスポットライト的に照明することが可能となるため、陳列効果の向上を図ることが可能となる。
【００５５】
また、棚ＬＥＤ照明装置６５が取り付けられる棚３０の前端部のガード３５には、当該棚ＬＥＤ照明装置６５に給電するための電極６９が棚３０長手方向に渡って設けられているため、当該棚ＬＥＤ照明装置６５をガード３５の任意の場所に取り付けることにより、支障なく棚ＬＥＤ照明装置６５に給電を行うことが可能となる。
【００５６】
そのため、格別な配線接続をする必要が無く、棚３０の幅方向に渡って移動自在に棚ＬＥＤ照明装置６５を取り付けて、スポットライトとして当該棚３０上に陳列される商品Ｓを照明することが可能となる。
【実施例４】
【００５７】
次に、実施例４としての棚ＬＥＤ照明装置７５について図１１及び図１２を参照して説明する。図１０は棚ＬＥＤ照明装置７５の概略側面図、図１０は図９の配線状態を示す図である。係る実施例における棚ＬＥＤ照明装置７５は、棚３０の前端部に取り付けられるガード３５の上端部に長手方向に延在して着脱自在に取り付けられる。
【００５８】
係る実施例における棚ＬＥＤ照明装置７５は、上記実施例と同様に、オープンショーケースの前面開口（間口）寸法が４尺〜１２尺程度であるのに対し、当該棚ＬＥＤ照明装置７５は、約１尺程度の長さに構成されている。尚、棚ＬＥＤ照明装置７５は、上記実施例１における棚ＬＥＤ照明装置５０の本体５４と略同一の構成であるため説明を省略する。
【００５９】
棚ＬＥＤ照明装置７５を構成する本体の後端には、後方に突出してガード３５の上端部に前方から係止させて取り付けるための取付部７６が形成されている。本実施例において取付部７６は、下方に開口する略Ｕ字状を呈している。この取付部７６のガード３５の後面に当接する面と、ガード３５の前面に当接する面には、それぞれ各ＬＥＤ素子５３に給電を行うための端子が配設されている。
【００６０】
一方、棚３０のガード３５の後面及び前面には、長手方向に渡って棚ＬＥＤ照明装置７５に給電を行うための電極７７、７８が配設されている。当該電極７７、７８は、ガード３５下端部に位置して配線７９が接続されており、当該配線７９は、図１２に示すように棚３０を構成する棚板３２の内部下面に沿ってショーケース１の本体にまで引き出されている。
【００６１】
係る構成により、棚ＬＥＤ照明装置７５のＬＥＤ素子５３の光の照射方向が当該棚３０の前端上部とされるように、本体の取付部７６を棚３０のガード３５の長手方向の何れかの場所の上端部に係止させる。これにより、棚３０の前端部に位置するガード３５前方から後上方に向けて棚３０上前部に載置される商品Ｓに各ＬＥＤ素子５３からの照射光を照射することができる。従って、棚３０上の前部に載置される商品Ｓのフェース面を効果的に照明することが可能となる。また、棚ＬＥＤ照明装置７５は角度が調整可能となっており、棚３０上前部に載置された商品Ｓの高さに応じて照明することができる。
【００６２】
特に、棚３０前端部に設けられる棚ＬＥＤ照明装置７５によって、棚３０上前部に載置された商品Ｓを前下方からスポットライト的に照明することが可能となるため、陳列効果の向上を図ることが可能となる。
【００６３】
また、棚ＬＥＤ照明装置７５が取り付けられる棚３０の前端部のガード３５には、当該棚ＬＥＤ照明装置７５の各端子が当接するように、前後面に電極７７、７８が長手方向に渡って配設されているため、当該棚ＬＥＤ照明装置７５をガード３５の任意の場所に取り付けることにより、支障なく棚ＬＥＤ照明装置７５に給電を行うことが可能となる。
【００６４】
そのため、格別な配線接続をする必要が無く、棚３０の幅方向に渡って移動自在に棚ＬＥＤ照明装置７５を取り付けて、スポットライトとして当該棚３０上に陳列される商品Ｓを照明することが可能となる。
【図面の簡単な説明】
【００６５】
【図１】本発明を適用したショーケースの斜視図である。
【図２】図１のショーケースの縦断側面図である。
【図３】ＬＥＤ照明装置の概略構成図である。
【図４】棚ＬＥＤ照明装置の概略構成図である。
【図５】棚ＬＥＤ照明装置の概略構成図である。（実施例１）
【図６】図５の配線状態を示す図である。
【図７】棚ＬＥＤ照明装置の概略構成図である。（実施例２）
【図８】図７の配線状態を示す図である。
【図９】棚ＬＥＤ照明装置の概略構成図である。（実施例３）
【図１０】図９の配線状態を示す図である。
【図１１】棚ＬＥＤ照明装置の概略構成図である。（実施例４）
【図１２】図１１の配線状態を示す図である。
【符号の説明】
【００６６】
１    ショーケース
２    断熱壁
１１  陳列室
１２  前面開口
３０  棚
３１  ブラケット
３２  棚板
３３  キャノピー
３４  プライスレール
３５  ガード
４０  開口上ＬＥＤ照明装置
４１  照明取付部材
４２、５２  基板
４３、５３  ＬＥＤ素子
４４  取付板
４５  反射板
４６  ＬＥＤ照明部材
４８  上部ＬＥＤ照明装置
５０、６０、６５、７５  棚ＬＥＤ照明装置
５１、６３、６９、７７、７８  電極
５４  本体
５５、７０  配線
５７  シェード
５８、６２  脚部
５９、６８  端子
６１  前壁部
６１Ａ  係止溝
６２Ａ  保持部
６６、６７、７６  取付部
【図１】
2010078250.tif 000003
【図２】
2010078250.tif 000004
【図３】
2010078250.tif 000005
【図４】
2010078250.tif 000006
【図５】
2010078250.tif 000007
【図６】
2010078250.tif 000008
【図７】
2010078250.tif 000009
【図８】
2010078250.tif 000010
【図９】
2010078250.tif 000011
【図１０】
2010078250.tif 000012
【図１１】
2010078250.tif 000013
【図１２】
2010078250.tif 000014